(57)【要約】【課題】施工のコストを大幅に抑制することができる全面床吹き出し空調システムの施工方法を提供する。【解決手段】本発明の全面床吹き出し空調システムの施工方法は、空気と熱交換可能な潜熱蓄熱材料により形成されると共に、同じ向きに配列される複数の板状部と、前記複数の板状部を連結する連結部とを有する潜熱蓄熱部材１００を準備する準備ステップと、空調対象室内の床スラブとフロアパネルとの間の床下チャンバー４空間に前記潜熱蓄熱部材を載置する載置ステップと、からなることを特徴とする。【選択図】      図６
2010255895.tif 000002
【特許請求の範囲】
【請求項１】
空気と熱交換可能な潜熱蓄熱材料により形成されると共に、同じ向きに配列される複数の板状部と、前記複数の板状部を連結する連結部とを有する潜熱蓄熱部材を準備する準備ステップと、
空調対象室内の床スラブとフロアパネルとの間の床下チャンバー空間に前記潜熱蓄熱部材を載置する載置ステップと、
からなることを特徴とする全面床吹き出し空調システムの施工方法。
【請求項２】
前記載置ステップでは、前記潜熱蓄熱部材を均等に載置することを特徴とする請求項１に記載の全面床吹き出し空調システムの施工方法。
【請求項３】
前記載置ステップでは、前記床下チャンバーからの環気を行う床下環気口の近傍に比べ、前記床下チャンバーに対して給気を行う床下給気口の近傍により密度高く前記潜熱蓄熱部材を載置することを特徴とする請求項１に記載の全面床吹き出し空調システムの施工方法。
【請求項４】
前記載置ステップでは、前記潜熱蓄熱部材と共に床下仕切り部材を載置することを特徴とする請求項１又は請求項３に記載の全面床吹き出し空調システムの施工方法。
【請求項５】
前記載置ステップでは、前記潜熱蓄熱部材の板状部の向きを混在させるようにして前記潜熱蓄熱部材を載置することを特徴とする請求項１乃至請求項４のいずれか１項に記載の全面床吹き出し空調システムの施工方法。
【発明の詳細な説明】
【技術分野】
【０００１】
本発明は、オフィスビル等のビルディングに二重床を敷設し、二重床から室内に空調空気を吹き出す空調方式において、特に昼間等の放熱運転時に潜熱蓄熱材に蓄熱された熱を放熱し、二重床の吹出孔から室内に給気する全面床吹き出し空調システムの施工方法に関する。
【背景技術】
【０００２】
従来、建物の床スラブ上に二重床を構築し、二重床内にＯＡ機器用の配線を収納する所謂ＯＡフロアが広く採用され、また、二重床の全面から室内に空調エアを吹き出す全面床吹き出し空調方式が採用され始めている。
【０００３】
また、この方式において、従来、二重床の下面に潜熱蓄熱材を配設し、夜間等の蓄熱運転時に潜熱蓄熱材に蓄熱させておき、昼間等の放熱運転時に潜熱蓄熱材に蓄熱された熱を放熱し、二重床の吹出孔から室内に給気する提案がなされている。このような蓄熱空調によれば、安価な夜間電力を利用して蓄熱し、これを昼間のオフィスアワーに利用することが可能となる。
【０００４】
例えば、特許文献１（特開２００３−１８５３７３号公報）には、床スラブ上に敷設され、多数の吹出孔が形成された二重床と、床スラブと二重床の間に形成された床下チャンバーと、二重床の下面に配設された、通気性が高く空気と直接熱交換が可能な潜熱蓄熱材と、床下チャンバーに接続された空調機とを備えたことを特徴とする潜熱蓄熱材を用いた全面床吹出空調システムが開示されている。
【０００５】
本願出願人らは特願２００７−１５７２３６号及び特願２００７−２９５３５７号において、潜熱蓄熱材を用いた全面床吹出空調システムの施工方法についてより具体的な提案をしてきた。より詳しくは、前者の出願では粒状の潜熱蓄熱材を用いて全面床吹出空調システムを施工する方法について、また、後者の出願では板状の潜熱蓄熱材を用いて全面床吹出空調システムを施工する方法について提案を行った。
【特許文献１】特開２００３−１８５３７３号公報
【発明の概要】
【発明が解決しようとする課題】
【０００６】
しかしながら、出願人らが提案した従来の全面床吹き出し空調システムの施工方法では、施工に大きな手間がかかり、施工コストが上昇する、という問題があった。また、空調対象室の熱的仕様、内部の使用状況に応じて空調負荷が変わるはずであるが、従来の全面床吹き出し空調システムの施工方法では、そのようなことが考慮されておらず問題であった。
【課題を解決するための手段】
【０００７】
この発明は、上記課題を解決するものであって、請求項１に係る発明は、空気と熱交換可能な潜熱蓄熱材料により形成されると共に、同じ向きに配列される複数の板状部と、前記複数の板状部を連結する連結部とを有する潜熱蓄熱部材を準備する準備ステップと、空調対象室内の床スラブとフロアパネルとの間の床下チャンバー空間に前記潜熱蓄熱部材を載置する載置ステップと、からなることを特徴とする全面床吹き出し空調システムの施工方法である。
【０００８】
また、請求項２に係る発明は、請求項１に記載の全面床吹き出し空調システムの施工方
法において、前記載置ステップでは、前記潜熱蓄熱部材を均等に載置することを特徴とする。
【０００９】
また、請求項３に係る発明は、請求項１に記載の全面床吹き出し空調システムの施工方法において、前記載置ステップでは、前記床下チャンバーからの環気を行う床下環気口の近傍に比べ、前記床下チャンバーに対して給気を行う床下給気口の近傍により密度高く前記潜熱蓄熱部材を載置することを特徴とする。
【００１０】
また、請求項４に係る発明は、請求項１又は請求項３に記載の全面床吹き出し空調システムの施工方法において、前記載置ステップでは、前記潜熱蓄熱部材と共に床下仕切り部材を載置することを特徴とする。
【００１１】
また、請求項５に係る発明は、請求項１乃至請求項４のいずれか１項に記載の全面床吹き出し空調システムの施工方法において、前記載置ステップでは、前記潜熱蓄熱部材の板状部の向きを混在させるようにして前記潜熱蓄熱部材を載置することを特徴とする。
【発明の効果】
【００１２】
本発明の全面床吹き出し空調システムの施工方法によれば、空気と熱交換可能な潜熱蓄熱材料により形成されると共に、同じ向きに配列される複数の板状部と、前記複数の板状部を連結する連結部とを有するハンドリングがしやすい潜熱蓄熱部材を用いるので、施工のコストを大幅に抑制することができる。
【００１３】
また、本発明の全面床吹き出し空調システムの施工方法によれば、空調対象室の熱的仕様に対応して、潜熱蓄熱部材を配置するので、最適な空調環境を提供することが可能となる。
【図面の簡単な説明】
【００１４】
【図１】本発明の実施形態に係る全面床吹き出し空調システムの施工方法に用いる潜熱蓄熱部材の斜視図である。
【図２】他の実施形態に係る潜熱蓄熱部材の斜視図である。
【図３】本発明の実施形態に係る全面床吹き出し空調システムの施工方法に用いるフロアパネル単体の平面図である。
【図４】本発明の実施形態に係る全面床吹き出し空調システムの施工方法におけるフロアパネル単位の施工の様子を示す図である。
【図５】本発明の実施の形態に係る全面床吹き出し空調システムの二重床構造を示す図である。
【図６】本発明の実施形態に係る全面床吹き出し空調システムの施工方法による潜熱蓄熱部材１００の施工例を示す図である。
【図７】本発明の実施の形態に係る全面床吹き出し空調システムの昼間放熱運転の様子を示す図である。
【図８】本発明の実施の形態に係る全面床吹き出し空調システムの夜間蓄熱運転の様子を示す図である。
【図９】本発明の実施形態に係る全面床吹き出し空調システムの施工方法による潜熱蓄熱部材１００の他の施工例を示す図である。
【図１０】本発明の実施形態に係る全面床吹き出し空調システムの施工方法による潜熱蓄熱部材１００の他の施工例を示す図である。
【図１１】本発明の実施形態に係る全面床吹き出し空調システムの施工方法による潜熱蓄熱部材１００の他の施工例を示す図である。
【図１２】本発明の実施形態に係る全面床吹き出し空調システムの施工方法による潜熱蓄熱部材１００の他の施工例を示す図である。
【図１３】本発明の実施形態に係る全面床吹き出し空調システムの施工方法による潜熱蓄熱部材１００の他の施工例を示す図である。
【図１４】本発明の実施形態に係る全面床吹き出し空調システムの施工方法による潜熱蓄熱部材１００の他の施工例を示す図である。
【図１５】本発明の実施形態に係る全面床吹き出し空調システムの施工方法による潜熱蓄熱部材１００の他の施工例を示す図である。
【図１６】本発明の実施形態に係る全面床吹き出し空調システムの施工方法による潜熱蓄熱部材１００の他の施工例を示す図である。
【発明を実施するための形態】
【００１５】
以下、本発明の実施の形態を図面を参照しつつ説明する。図１は本発明の実施の形態に係る全面床吹き出し空調システムの施工方法に用いる潜熱蓄熱部材の斜視図である。図１において、１００は潜熱蓄熱部材、１１０は長板状部、１２０は短板状部、１３０は連結部をそれぞれ示している。潜熱蓄熱部材１００の主要素材としては、例えばパラフィンなどの相変化物質（Ｐｈａｓｅ  Ｃｈａｎｇｅ  Ｍａｔｅｒｉａｌ）である潜熱蓄熱材料が用いられ、このような材料によって形成された潜熱蓄熱部材１００によって空気との熱交換が行われる。潜熱蓄熱部材１００は、ゲル剤などのポリマーに潜熱蓄熱材料を含浸させ担持させたものを所定の容器に封入することで構成される。
【００１６】
潜熱蓄熱部材１００の基本となる構成は一つの方向に向いた複数の板状部を有することであり、このような板状部の間に、板状部に沿って冷気を通すことによって、潜熱蓄熱部材１００中の相変化物質に潜熱を吸収させてこれを固化することを想定している。ここで、本実施形態における潜熱蓄熱部材１００には、板状部としては、長板状部１１０の短板状部１２０の２種類が設けられており、潜熱蓄熱部材１００全体的には四隅に切り欠き部が設けられているような外観形状となっているが、これは、当該切り欠き部のところに２重床のフロアパネル３を支える支柱２が配されるために、このような外観形状となっている。なお、本実施形態に係る潜熱蓄熱部材１００では、対称性からくるハンドリングのしやすさや、製造性のよさから、このような形状となっているが、図２に示すような形状のものも用いることができる。また、本実施形態に係る潜熱蓄熱部材１００は、板状部としては長板状部１１０が３枚で短板状部１２０が２枚のものが用いられているが、このような板状部の数に限定されるものではない。
【００１７】
潜熱蓄熱部材１００においては、それぞれの板状部との間に所定の間隙が形成されるように連結部１３０が配されており、全ての板状部がこの連結部１３０で連結され、潜熱蓄熱部材１００は全体として一つの部材として構成されるようになっている。このために、本実施形態に係る潜熱蓄熱部材１００は施工時などにハンドリングがよいものとなっている。
【００１８】
このような本実施形態に係る潜熱蓄熱部材１００はフロアパネル１枚に相当する面積にちょうど２つ載置することが想定されている。ここで、潜熱蓄熱部材１００を覆う２重床のフロアパネル３の構成について図３を参照して説明する。図３は本発明の実施形態に係る全面床吹き出し空調システムの施工方法に用いるフロアパネル単体の平面図である。図３において、３はフロアパネル、３ａは溝、３ｂは吹出孔、３ｃは嵌合穴をそれぞれ示している。フロアパネル３は縦横およそ５００ｍｍ×５００ｍｍの寸法にされており、複数の給気拡散用の溝３ａが形成されており、この冷気を効率よく分散しつつ放出することができるようになっている。また、この溝３ａ内に複数の吹出孔３ｂが形成されており、この床下チャンバーからの冷気をこの吹出孔３ｂから吐出することが想定されている。また、フロアパネル３の四隅には取り付け用の嵌合穴３ｃが形成されている。
【００１９】
上記のような潜熱蓄熱部材１００による全面床吹き出し空調システムの施工について説
明する。図４は本発明の実施形態に係る全面床吹き出し空調システムの施工方法におけるフロアパネル単位の施工の様子を示す図であり、図５は本発明の実施の形態に係る全面床吹き出し空調システムの二重床構造を示す図である。図５は図４のＡに示す方向から床構造をみた図である。
【００２０】
図５において、１は床スラブ、２は支柱、２ａはベース部、２ｂは下部柱部、２ｃは上部柱部、２ｄは支持部、３はフロアパネル、４は床下チャンバー、１５０は搭載脚部をそれぞれ示している。床スラブ１上には支柱２が立設され、支柱２上にフロアパネル３が敷設され、この構成により、フロアパネル３の下部即ち二重床内には床下チャンバー４が形成される。フロアパネル３を支持する支柱２は、床スラブ１に接着材により固定されるベース部２ａと、ベース部２ａ上に立設された下部柱部２ｂおよび上部柱部２ｃと、フランジ状の支持部２ｄとからなっている。フロアパネル３は、支柱２の支持部２ｄによって支持される。本実施形態に係る全面床吹き出し空調システムの施工においては、このフロアパネル３を取り外して、露出した床スラブ１上に、搭載脚部１５０の上に搭載した潜熱蓄熱部材１００を図示するように載置する。
【００２１】
上記のような全面床吹き出し空調システムの施工方法によれば、空気と熱交換可能な潜熱蓄熱材料により形成されると共に、同じ向きに配列される複数の板状部と、前記複数の板状部を連結する連結部とを有するハンドリングがしやすい潜熱蓄熱部材１００を用いるので、施工のコストを大幅に抑制することができる。
【００２２】
図６は本発明の実施形態に係る全面床吹き出し空調システムの施工方法による潜熱蓄熱部材１００の施工例を示す図である。この図は、空調対象室５を上面からみたものであり、本実施形態に係る施工例では、空調対象室５全域に均等に潜熱蓄熱部材１００を配するようにしている。ここで、３０は床下給気口、３２は床下環気口、矢印は夜間蓄熱時の冷気の流れを示している。この実施形態による施工例では、床下給気口３０によって冷気が給気される方向に、潜熱蓄熱部材１００の板状部がならうように施工される。これによって、各潜熱蓄熱部材１００を効率的に冷却することを期待している。また、本実施形態に示すように潜熱蓄熱部材１００を空調対象室５全域に均等に配することによって、空調対象室５全域において略均等な空調効果を期待することができる。
【００２３】
図７は本発明の実施の形態に係る全面床吹き出し空調システムの昼間放熱運転の様子を示す図であり、図８は本発明の実施の形態に係る全面床吹き出し空調システムの夜間蓄熱運転の様子を示す図である。図７及び図８において、１は床スラブ、３はフロアパネル、４は床下チャンバー、５は空調対象室、６は天井面、７は天井チャンバー、８は空調機、９は送風機、２１は給気ダクト、２２は排気ダクト、２３は床下還気ダクト、２５はバイパスダクト、３０は床下給気口、３１は床下環気口、３２は床下環気口をそれぞれ示している。また、図中ＭＤ１及びＭＤ２は、ダクト中に設けられるダンパである。なお、図７及び図８に示す図では外気との排気などを行うための系統については図示省略している。
【００２４】
空調対象室５はオフィスなどの居室であり、この空調対象室５の天井部においては天井面６による仕切りによって天井チャンバー７が形成されており、また、床下部においてはフロアパネル３で仕切られることによって、床スラブ１とフロアパネル３との間に床下チャンバー４が形成される。この床下チャンバー４の空間に、本実施形態に係る全面床吹き出し空調システムの施工方法によって、これまで説明した潜熱蓄熱部材１００が設置される。
【００２５】
空調機８は、内蔵している冷却器、加熱器、加湿器、フィルタ（いずれも図示略）により温湿度調整と粉塵除去などを行い、送風機９により給気ダクト２１、床下給気口３０を通して床下チャンバー４内への給気を行い得るようになっている。
【００２６】
ダンパＭＤ１及びＭＤ２をコントロールすることによって、昼間には、床下給気口３０から床下チャンバー４内へ送った給気は、主として空調対象室５→天井チャンバー７→天井環気口３１→排気ダクト２２→バイパスダクト２５→送風機９→給気ダクト２１→床下給気口３０・・・の経路で循環させる。これにより、床スラブ１や潜熱蓄熱部材１００に蓄熱された潜熱が利用される。
【００２７】
一方、夜間においては、ダンパＭＤ１及びＭＤ２をコントロールし、床下給気口３０からの給気は、主として床下チャンバー４内で循環させた上で、床下環気口３２から床下還気ダクト２３、バイパスダクト２５を通し空調機８に戻す。ここで、空調機８を動作させることで潜熱蓄熱部材１００に蓄熱を行うようにする。
【００２８】
ここで、潜熱蓄熱部材１００の設置数の目安について説明する。例えば、室内空調負荷６０Ｗ／ｍ2の空調対象室５で昼間１２時間空調運転を行った場合、１日当たりの空調負
荷は７２０Ｗｈ／ｍ2（＝２．４９ＭＪ／ｍ2）となる。今回出願人らが試作した図１に示すような本実施形態に係る潜熱蓄熱部材１００の利用蓄熱量は０．１７７ＭＪ／個である。また、過去の測定データより躯体蓄熱の利用熱量は床スラブ１で１．０５ＭＪ／ｍ2、
コンクリート製のフロアパネル３で０．２８ＭＪ／ｍ2である。上記のような前提で、昼
間の空調負荷をまかなうのに必要な潜熱蓄熱部材１００の個数は、（２．４９−１．０５−０．２８）／０．１７７であり、これはおよそ１ｍ2当たり６〜８個に相当する。例え
ば、１ｍ2当たり８個の潜熱蓄熱部材１００を設置すると、これはちょうど図６に示すよ
うに空調対象室５の床全面に潜熱蓄熱部材１００を設置することとなり、これによって負荷６０Ｗ／ｍ2の空調対象室５の昼間の空調負荷を全てまかなうことができることを意味
している。
【００２９】
次に、空調対象室５の空調負荷がより小さい場合について検討する。例えば、空調対象室５の空調負荷が４５Ｗ／ｍ2である場合には、必要となる潜熱蓄熱部材１００は（１．
９４−１．０５−０．２８）／０．１７７＝３．４により、１ｍ2当たり４個の潜熱蓄熱
部材１００を設置する。このように１ｍ2当たり４個の潜熱蓄熱部材１００を設置すると
きにおいては、例えば図９に示すように、潜熱蓄熱部材１００を千鳥配置とすることによって、空調対象室５に均等に潜熱蓄熱部材１００を設置する。このような均等配置によれば、空調対象室５居室内全域にわたって略均等な温度分布となることが期待でき、快適な空間を提供することができる。また、空調対象室５の熱的仕様に対応して、潜熱蓄熱部材１００を配置するので、最適な空調環境を提供することが可能となる。
【００３０】
さらに、空調対象室５の空調負荷が小さい場合について検討してみる。例えば、空調対象室５の空調負荷が４０Ｗ／ｍ2である場合には、必要となる潜熱蓄熱部材１００は（１
．７２−１．０５−０．２８）／０．１７７＝２．２により、１ｍ2当たり２個の潜熱蓄
熱部材１００を設置するとほぼ昼間の空調負荷をまかなうことができる。このときの潜熱蓄熱部材１００の設置例としては、例えば図１０に示すような千鳥配置として、空調対象室５に均等配置する。これによれば、空調対象室５居室内全域にわたって略均等な温度分布となることが期待でき、最適な空調環境を提供することが可能となる。また、空調対象室５の熱的仕様に対応して、潜熱蓄熱部材１００を配置するので、最適な空調環境を提供することが可能となる。
【００３１】
次に、本発明の他の実施形態に係る全面床吹き出し空調システムの施工方法について説明する。夜間の蓄熱時、床下給気口３０から給気された冷風が床下チャンバー４全体を均等に行き渡り、全ての潜熱蓄熱部材１００が均等に冷却されることが理想的であるが、実際には床下給気口３０から給気された冷風はショートカットして、床下環気口３２に戻ってしまうことが考えられる。そこで、このようなショートカットを防止するために、床下
給気口３０と床下環気口３２との配置関係が図１１に示すような場合には、例えば、その間に床下仕切り部材２００を設置することによって、冷風が床下チャンバー４空間を矢印に示すような経路で通るようにする。これにより、潜熱蓄熱部材１００がより均等に冷却されることを期待できる。この床下仕切り部材２００としては、グラスウールをアルミニウム箔で包含したよう一般的なゾーン形成材を用いることができる。
【００３２】
また、室内負荷がより小さい場合については、床下仕切り部材２００を設けると共に、冷風の上流側に潜熱蓄熱部材１００を密度高く載置することも望ましい施工例である。すなわち、床下チャンバー４からの環気を行う床下環気口３２の近傍に比べ、床下チャンバー４に対して給気を行う床下給気口３０の近傍により密度高く潜熱蓄熱部材１００を載置することを特徴とした施工例も好ましい実施態様である。図１２は空調負荷が４５Ｗ／ｍ2相当の時の施工例を示し、図１３は空調負荷が４０Ｗ／ｍ2相当の時の施工例を示している。床下給気口３０の近傍により密度高く潜熱蓄熱部材１００を設置し、かつ、床下仕切り部材２００を設ける、このような施工例によれば夜間に効率的に潜熱蓄熱部材１００の冷却を行うことが可能となる。
【００３３】
次に、本発明の他の実施形態に係る全面床吹き出し空調システムの施工方法について説明する。本実施形態に係る施工方法では、ショートカット防止用の床下仕切り部材２００を配置すると共に、床下チャンバー４空間に設置する潜熱蓄熱部材１００の板状部の向きを一部変えるようにしている。すなわち、本実施形態に係る施工方法では、潜熱蓄熱部材１００の板状部の向きを混在させるようにして潜熱蓄熱部材１００を載置することを特徴としている。図１４はこのような施工方法による潜熱蓄熱部材１００の設置例を示しており、床下仕切り部材２００の設置と、潜熱蓄熱部材１００の板状部の向きの関係により、冷風が床下チャンバー４空間を矢印に示すような経路で通るようにしている。これにより、潜熱蓄熱部材１００がより均等に冷却されることを期待できる。また、このように、床下チャンバー４に設置させる潜熱蓄熱部材１００の板状部の向きを混在させることで、冷風をより適切に導くことができ、より効率的に潜熱蓄熱部材１００を冷却することが可能となる。
【００３４】
次に、本発明の他の実施形態に係る全面床吹き出し空調システムの施工方法について説明する。これまで説明してきたような冷風のショートカット防止の観点からは、仮に床下環気口３２の位置を自由に決めることができるとするのであれば、床下環気口３２と床下給気口３０とが、図１５に示すように床下チャンバー４内で対向するように配置されることが望ましい。また、床下環気口３２と床下給気口３０とが対角的に配置されることも望ましい実施形態である。このように床下環気口３２と床下給気口３０とを定めれば、ショートカット防止用の床下仕切り部材２００などを設けることなく、夜間蓄熱時効率的に潜熱蓄熱部材１００を冷却することが可能となる。
【００３５】
次に、本発明の他の実施形態に係る全面床吹き出し空調システムの施工方法について説明する。本実施形態は、空調対象室５居室内において、全体での空調負荷としては比較的小さいけれど、サーバーなどが空調対象室５居室内に設置されており、局所的に空調負荷が大きい場合に好適な実施形態である。図１６はこのような場合の潜熱蓄熱部材１００の設置例を示している。図１６に示す施工例では、冷風の上流側に潜熱蓄熱部材１００が密度高く載置されると共に、空調負荷が大きいエリアに密度高く潜熱蓄熱部材１００を載置している。このように潜熱蓄熱部材１００を偏在させて載置すること、特に潜熱蓄熱部材１００を熱負荷が高い位置の下に密度高く載置するようにすることで、局所的に空調負荷が大きい空調対象室５に対応することが可能となる。すなわち、このような施工例によれば、空調対象室５の熱的仕様に対応して、潜熱蓄熱部材を配置するので、最適な空調環境を提供することが可能となる。
【００３６】
なお、以上、種々の実施の形態について説明したが、それぞれの実施形態の構成を適宜組み合わせて構成した実施形態も本発明の範疇に入るものである。
【００３７】
以上、本発明の全面床吹き出し空調システムの施工方法によれば、空気と熱交換可能な潜熱蓄熱材料により形成されると共に、同じ向きに配列される複数の板状部と、前記複数の板状部を連結する連結部とを有するハンドリングがしやすい潜熱蓄熱部材を用いるので、施工のコストを大幅に抑制することができる。
【００３８】
また、本発明の全面床吹き出し空調システムの施工方法によれば、空調対象室の熱的仕様に対応して、潜熱蓄熱部材を配置するので、最適な空調環境を提供することが可能となる。
【符号の説明】
【００３９】
１・・・床スラブ、２・・・支柱、２ａ・・・ベース部、２ｂ・・・下部柱部、２ｃ・・・上部柱部、２ｄ・・・支持部、３・・・フロアパネル、３ａ・・・溝、３ｂ・・・吹出孔、３ｃ・・・嵌合穴、４・・・床下チャンバー、５・・・空調対象室、７・・・天井チャンバー、８・・・空調機、９・・・送風機、２１・・・給気ダクト、２２・・・天井還気ダクト、２３・・・床下還気ダクト、２５・・・バイパスダクト、３０・・・床下給気口、３１・・・天井還気口、３２・・・床下環気口、１００・・・潜熱蓄熱部材、１１０・・・長板状部、１２０・・・短板状部、１３０・・・連結部、１５０・・・搭載脚部、２００・・・床下仕切り部材
【図１】
2010255895.tif 000003
【図２】
2010255895.tif 000004
【図３】
2010255895.tif 000005
【図４】
2010255895.tif 000006
【図５】
2010255895.tif 000007
【図６】
2010255895.tif 000008
【図７】
2010255895.tif 000009
【図８】
2010255895.tif 000010
【図９】
2010255895.tif 000011
【図１０】
2010255895.tif 000012
【図１１】
2010255895.tif 000013
【図１２】
2010255895.tif 000014
【図１３】
2010255895.tif 000015
【図１４】
2010255895.tif 000016
【図１５】
2010255895.tif 000017
【図１６】
2010255895.tif 000018